(57)【特許請求の範囲】
【請求項１】
一端を伝票挿入口から露出させた待機位置に、印字処理中の伝票を保持する伝票搬送路を備えた通帳・伝票プリンタであって、
前記伝票挿入口には、伝票と通帳の交互の印字処理中の際、前記伝票が前記待機位置に搬送された場合に、前記伝票挿入口からの飛び出し角度を変更する弁部材を設けた通帳・伝票プリンタ。
【請求項２】
前記伝票が印字処理中の場合は、前記弁部材により前記伝票挿入口が閉塞状態になることを特徴とする請求項１記載の通帳・伝票プリンタ。
【発明の詳細な説明】
【０００１】
【発明の属する技術分野】
本発明は通帳・伝票プリンタに関するものである。
【０００２】
【従来の技術】
通帳、および伝票の並行処理が可能な通帳・伝票プリンタの従来例を図５に示す。この従来例において、プリンタは通帳を挿入するための通帳挿入口５と、伝票３を挿入するための伝票挿入口１とを別個に備えており、各々の挿入口１、５から挿入された通帳６、あるいは伝票３は個別の搬送路を経て印字部７に搬送されて印字処理がなされる。各搬送路には媒体セット用ストッパ８が配置されており、挿入口１、５に挿入された媒体はプリンタ内に吸引されて先端が媒体セット用ストッパ８に衝接する位置で作業開始を待つ。
【０００３】
印字部７で通帳６、および伝票３に対する交互の印字処理が必要な場合には、一方の媒体への処理を行っている間、他方の媒体を対応する搬送路に退避させる必要がある。一方、装置の小型化を達成するためには、各搬送路長を短くするのが有効であり、伝票搬送路２を短くするためには、退避中の伝票３は図５（ｂ）に示すように、一端を伝票挿入口１から露出させた状態で捕捉される。
【０００４】
【発明が解決しようとする課題】
しかし、上述した従来例には以下の欠点がある。まず、伝票３が印字処理されているときでも伝票挿入口１は開放状態であり、伝票挿入口１から新規の伝票３を挿入することができるために、誤って挿入された伝票３と退避してきた伝票３が伝票搬送路２で衝突してジャムの原因となる。また、例えば図５（ｂ）に示すように、伝票挿入口１を処理済み伝票３の排出口としても使用する場合には、退避中の伝票３を処理済み伝票３と誤って抜去してしまうことがある。
【０００５】
本発明は、以上の欠点を解消すべくなされたものであって、誤操作を有効に防止できる通帳・伝票プリンタの提供を目的とする。
【０００６】
【課題を解決するための手段】
本発明によれば上記目的は、
一端を伝票挿入口１から露出させた待機位置に、印字処理中の伝票３を保持する伝票搬送路２を備えた通帳・伝票プリンタであって、
前記伝票挿入口１には、伝票３と通帳６の交互の印字処理中の際、前記伝票３が前記待機位置に搬送された場合に、前記伝票挿入口１からの飛び出し角度を変更する弁部材４を設けた通帳・伝票プリンタを提供することにより達成される。
【０００７】
図１に示すように、プリンタは通帳挿入口５と伝票挿入口１とを別個に備え、対応する挿入口５、１から挿入された通帳６、あるいは伝票３は通帳搬送路９、あるいは伝票搬送路２を経て印字部７等の印字処理部に搬送される。処理対象の通帳６、および伝票３に複数回の処理が施せるために、通帳搬送路９、および伝票搬送路２は対応する媒体を所定の待機位置に捕捉しておくことが可能なように構成される。
【０００８】
本発明において、伝票３は一端を伝票挿入口１から露出させた状態で待機位置に捕捉されるために、伝票搬送路２の経路長が短くなり、装置を小型化することができる。
【００１０】
弁部材４は、少なくとも待機伝票３が伝票挿入口１から飛び出す際には方向転換位置に移動しており、図１（ｂ）において矢印Ｂ方向、すなわち、該待機伝票３の先頭側端縁を挿入時の伝票搬送路２との角度と異なった角度方向に導く。この結果、オペレータは新規挿入した伝票３の伝票搬送路２への吸引待ち状態であるのか、あるいは、待機中の伝票３であるのかの判別が容易になるために、誤って待機中の伝票３を抜き取ることがなくなる。
【００１１】
また、上記弁部材４に伝票挿入口１の閉塞部材を兼用させることが可能であり、この場合、例えば、新規の伝票３がプリンタ内に吸入されると同時に動作させて、以降、伝票挿入口１を弁部材４により閉塞すると、誤挿入も同時に防止できる。すなわち、図１（ｂ）に示すように、伝票３が処理中の際には弁部材４が通常操作による伝票３の進入経路（図１（ｂ）における矢印Ａ方向）に干渉する位置に飛び出して実質的に伝票挿入口１を閉塞するために、新たな伝票３を伝票挿入口１に挿入することができない。このため、伝票３処理中に誤って新たな伝票３が挿入されて新旧伝票３が伝票搬送路２内で交錯してジャムが発生することを確実に防止できる。
【００１２】
【発明の実施の形態】
図２ないし４に机の中に組み込まれた机埋め込み式の通帳・伝票プリンタを示す。この実施の形態において、机の天板１０内部には処理搬送路１１が形成され、処理搬送路１１の終端部に印字部７が配置される。処理搬送路１１は印字部７よりさらに後方側に延長され、スイッチバック用余長路１１ａが形成される。また、処理搬送路１１に面して頁めくり装置１２、およびイメージスキャナ１３が配置され、処理搬送路１１に搬送されてきた通帳６の頁めくり、および伝票３、通帳６の印刷情報の読み取りが行われる。
【００１３】
上記処理搬送路１１の始端には通帳搬送路９と伝票搬送路２が連結され、通帳搬送路９の始端は天板１０の前端面に開放されて通帳挿入口５が形成される。天板１０内には、通帳搬送路９に面して磁気ストライプリードライト装置１４が配置され、通帳搬送路９上の通帳６の磁気ストライプの読み取り、あるいは書き込みが行われる。また、通帳搬送路９の通帳挿入口５近傍には通帳ストッパ１５が配置され、通帳挿入口５から通帳６は一旦通帳ストッパ１５により通帳搬送路９内に留められ、通帳６のセットが確認されると処理搬送路１１側に吸引される。
【００１４】
一方、伝票搬送路２の終端は机本体の天板１０から前方に向けて開口して伝票挿入口１が形成され、伝票挿入口１からやや奥まった位置に上述した通帳ストッパ１５と同様の伝票ストッパ１６が配置され、伝票挿入口１を臨む位置に弁部材４が配置される。弁部材４は、図１に示すように、伝票搬送路２の奥に向かうに従って漸次高さの低くなる傾斜背面壁４ａを有し、弁駆動用プランジャマグネット１７により伝票搬送路２を完全に開放する図１（ｃ）に示す退避位置と、伝票３の通常の挿入経路を塞ぐ閉塞位置（図１（ｂ））との間を回転駆動される。
【００１５】
さらに、伝票搬送路２から枝分かれして処理終了後の媒体を排出するための媒体排出路１８が形成されるとともに、媒体排出路１８の終端は背面側に開口して媒体排出口１９とされる。媒体排出口１９の近傍には媒体排出口１９から排出される媒体を受けるためのスタッカ２０が天板１０表面に形成される。
【００１６】
図示しない制御部から媒体セット指令があると、弁部材駆動用のプランジャマグネット１７が”ＯＮ”されて弁部材４は退避位置に移動される。通帳６、および伝票３が各々の挿入口５、１から挿入されると、通帳ストッパ１５、または伝票ストッパ１６により一旦搬送路９、２に保持される。通帳ストッパ１５、および伝票ストッパ１６のやや上流側には、媒体検知センサ２１が配置されており、媒体検知センサ２１が媒体を検知すると、ストッパ開放用のマグネット２２を駆動してストッパ１６を開放するとともに、ピンチローラ上下駆動用マグネット２３を駆動してピンチローラを対向する搬送ローラ側に移動させて媒体を把持し、次いで搬送モータを回転させて各媒体を処理搬送路１１側に搬送する。なお、図４においては、伝票搬送路２側のストッパ１６の駆動部のみを示しているが、通帳搬送路９においても同様の操作が行われる。
【００１７】
伝票３が処理搬送路１１側に搬送され、媒体検知センサ２１が伝票３終端を検出すると、弁部材駆動用のプランジャマグネット１７が”ＯＦＦ”にされ、弁部材４は閉塞位置に復帰する。弁部材４が閉塞位置にある場合には、上述したように、伝票挿入口１は閉塞された状態となり、処理中に誤って新たな伝票３を伝票挿入口１に入れることがなくなる。
【００１８】
伝票３、および通帳６は制御部からの指示により所定の手順で処理搬送路１１に搬送されて必要な処理が行われ、伝票３により処理搬送路１１が占有されている際に通帳６は通帳搬送路９の所定位置でクランプされて処理搬送路１１が開放されるまで待機する。一方、通帳６により処理搬送路１１が占有されている場合には、伝票３は伝票搬送路２を逆送され、後端部が伝票挿入口１から露出する位置でクランプされて処理搬送路１１の開放まで待機する。図１（ｂ９に示すように、伝票３が退避中の場合にも弁部材４は閉塞位置にあるために、伝票３は傾斜背面壁４ａに沿って斜め上方に送り出される。斜め上方に送り出された伝票３は上方に湾曲した退避姿勢を取り、通常状態で伝票３を伝票挿入口１から入れた姿勢とは大きく異なるために、オペレータは伝票３が退避状態であることを確実に識別できるために、誤って引き抜いてしまうことがない。また、退避中の伝票３はオペレータ側、すなわち正面側に飛び出すために、縦列に複数の通帳・伝票プリンタが並べられ、処理済み伝票３を前列のオペレータが受け取って処理をする場合であっても、前列のオペレータが退避中の伝票３を誤って抜き取ることもない。
【００１９】
【発明の効果】
以上の説明から明らかなように、本発明によれば、誤操作を確実に防止できる上に、装置の小型化を図ることができる。
【図面の簡単な説明】
【図１】本発明を示す図で、（ａ）は全体構成図、（ｂ）は閉塞位置にある際の弁部材の作用を示す図、（ｃ）は開放位置にある弁部材を示す図である。
【図２】本発明の実施の形態を示す図である。
【図３】図２の全体斜視図である。
【図４】制御駆動部を示す図である。
【図５】従来例を示す図である。
【符号の説明】
１        伝票挿入口
２        伝票搬送路
３        伝票
４        弁部材
【図１】
0004270706.tif 000002
【図２】
0004270706.tif 000003
【図３】
0004270706.tif 000004
【図４】
0004270706.tif 000005
【図５】
0004270706.tif 000006